(57)【特許請求の範囲】
【請求項１】
選択的にハウジング（１２）に結合された前面カバー（１４）を含むハウジング（１２）であって、前記前面カバーが画定された開口部（２２）を含む、ハウジング（１２）と、
選択的に前記ハウジング（１２）に結合されたトリップユニット（１８）とを含み、
トリップユニット（１８）は、
上または内部に形成された第１レセプタクル（４４）および第２レセプタクル（４５）と、前記前面カバー（１４）が前記ハウジング（１２）に結合されるとき、前記前面カバー（１４）の前記開口部（２２）を介してアクセス可能な前面（２０）であって、トリップユニット（１８）の１つまたは複数の特性を調整するためのいくつかの調整機構（２６）を有する前面（２０）とを含むトリップユニットハウジング（２４）と、
第１方向にヒンジ軸（４２）に沿って延在する第１円筒形部材（６０）と、第１方向と反対の第２の方向にヒンジ軸（４２）に沿って延在する第２円筒形部材（６２）と、第１円筒形部材（６０）および前記第２円筒形部材（６２）に隣接して配置される輪郭外表面（７０）を有する厚肉部（７２）とを有するアクセスドア（３０）とを含み、
前面カバー（１４）がハウジング（１２）から切り離されるとき、アクセスドア（３０）は、
（ｉ）前記アクセスドア（３０）は、前記ハウジング（２４）に結合され、一般に、少なくとも第１の所定の角度範囲（α）を介して前記ヒンジ軸（４２）の周りにほぼ自由に回転するように、前記第１円筒形部材（６０）が、前記第１レセプタクル（４４）内に配置され、前記第２円筒形部材（６２）が、第２レセプタクル（４５）内に配置される、第１状態および
（ｉｉ）前記アクセスドア（３０）が前記第１所定量の範囲（α）を超えて回転し、輪郭外表面（７０）が、前記ハウジング（２４）の部分と相互作用するのに応答して、前記アクセスドア（３０）が前記ハウジング（２４）から切り離される、第２状態から移動可能であり、
前記アクセスドア（３０）が前記第１状態に配置され、前記前面カバー（１４）が前記ハウジング（１２）に結合されるとき、前記前面カバー（１４）が前記第１の所定の角度範囲（α）よりも小さい第２の所定の角度範囲（α´）に前記ヒンジ軸（４２）周りの前記アクセスドア（３０）の回転を制限する、
回路遮断器（１０）。
【請求項２】
前記第１レセプタクル（４４）と前記第２レセプタクル（４５）の各々が、前記ヒンジ軸（４２）の周りにほぼ半径距離（ｒ）に配置された曲面（４７）によって少なくとも部分的に画定される主要部（４６）を含み、前記第１状態で配置されるとき、前記第１円筒形部材（６０）が、前記第１レセプタクル（４４）の前記主要部（４６）内に配置され、前記第２円筒形部材（６２）が、前記第２レセプタクル（４５）の前記主要部に配置される、請求項１に記載の回路遮断器（１０）。
【請求項３】
前記第１レセプタクル（４４）と前記第２レセプタクル（４５）のそれぞれは、さらに、前記主要部（４６）から外側に延在し、前記ハウジング（２４）の前記前面（２０）と平行に配置される基準平面（Ｐ）に対し、前記ヒンジ軸（４２）周りに角度（θ）で配向するほぼ中心基準線（Ｃ）周りに配置され、前記ヒンジ軸（４２）がラインする、開口部（４８）を含む、請求項２に記載の回路遮断器（１０）。
【請求項４】
前記第１レセプタクル（４４）および前記第２レセプタクル（４５）の各々の前記開口部（４８）は、前記主要部分（４６）から外側に延在し、前記第１レセプタクル（４４）および前記第２レセプタクル（４５）のそれぞれの最小開口幅（ｗ）を画定する、ほぼ平行な表面によって画定された第１部分（５０）を含み、前記第１状態から前記第２状態に移動するとき、前記第１円筒形部材（６０）の少なくとも１つが前記第１レセプタクル（４４）の前記第１部分を通過するか、または前記第２円筒形部材（６２）が前記第２レセプタクル（４５）の前記第１部分を通過する、請求項３に記載の回路遮断器（１０）。
【請求項５】
前記第１レセプタクル（４４）および前記第２レセプタクル（４５）のそれぞれの前記開口部（４８）が、さらに、前記開口部（４８）が前記最小開口幅（ｗ）から広がる前記第１部分（５０）から外側に延在するフレア部（５２）を含む、請求項４に記載の回路遮断器（１０）。
【請求項６】
前記第１円筒形部材（６０）および前記第２円筒形部材（６２）のそれぞれが、最小幅（ｗ）よりも大きく、半径距離（ｒ）の２倍より小さい外径（ｄ）によって画定される、請求項４に記載の回路遮断器（１０）。
【発明の詳細な説明】
【技術分野】
【０００１】
関連出願の参照
本出願は、参照によって本明細書に組み込まれる２０１４年１２月１９日出願の米国特許出願番号第１４／５７７，３７６号の優先権および利益を主張するものである。
【背景技術】
【０００２】
開示された概念は、回路遮断器に関し、特に、回路遮断器に使用するためのトリップユニットに関する。本発明はさらに、トリップユニットで使用するためのアクセスドアに関する。
【０００３】
背景技術情報
たとえば、回路遮断器であるがこれに限定しない回路安全装置は、通常、過負荷状態などの過電流状態、または短絡回路、またはアーク故障や地絡などのその他の故障状態による損傷から電気回路を保護するために使用される。回路遮断器は、一般に分離可能な接点を含む。分離可能な接点は、オペレータハンドルを介して手動で、または検出された故障状態に応答して自動で操作されても良い。通常、このような回路遮断器は、分離可能な接点を迅速に開くように設計された操作機構と、遮断器を自動的にトリップさせる多数の故障状態を感知するトリップユニットなどのトリップ機構とを含む。故障状態を感知すると、トリップユニットは、操作機構をトリップ状態にトリップさせ、分離可能な接点を開位置に動かす。
【０００４】
トリップユニットには、通常、ねじまたは他の適切な締結具を介して回路遮断器のハウジングに固定される１つまたは複数のカバーを取り外すことなくトリップユニットの設定を制御するスイッチに簡単にアクセスできるアクセスドアを含むものがある。このようなアクセスドアは通常、透明なプラスチック材料から形成される。このような構造は多くの利点を提供する。そのような透明な材料を利用するこのような利点の一つは、このようなアクセスドアによって覆われたスイッチおよびスイッチの設定点をアクセスドアを開くことを必要とせずに容易に見ることができることである。そのような材料を使用することの別の利点は、一般に材料コストおよび材料の形成コストが低いことである。
【０００５】
こうした現在の設計は多くの利点があるが、アクセスドアは、耐久性が低くなる傾向があり、注意していない場合は、むしろ容易に破断し得るので、改善の余地がある。通常、そのような破損は、技術者が回路遮断器をインストールおよび／または保守点検するとき、したがって、前面カバーを取り外したとき発生する。そのような時間の間に、ユニットに調整を行うため、トリップユニットのアクセスドアを開にしておくのが一般的である。透明な材料から形成されるので、アクセスドアが目立たず、容易く開位置のままになり得る。開位置に配置されるとき、アクセスドアは一般に脆弱であり、その意図した範囲を超えて開かれる場合、通常、アクセスドアのヒンジ部で、容易に破損しうる。このような過度の開状態は、開位置に配置されている間、たとえば、技術者が、アクセスドアの近くに動いたり、アクセスドアを初めに閉じることなく前面カバーをインストールしようとすることによって、アクセスドアに接触した場合に容易に起こり得る。
【０００６】
トリップユニットのアクセスドアには改善の余地が存在する。
【０００７】
そのようなアクセスドアを採用したトリップユニット、およびそのようなトリップユニットを採用した回路遮断器には改善の余地がある。
【発明の概要】
【０００８】
これらのニーズおよび他のものは、ヒンジアセンブリを対象とする開示された概念の実施形態によって満たされる。ヒンジアセンブリは、第１部分と第２部分とを含む。第１部分は、第１レセプタクルと第２レセプタクルを含む。第２部分は、ヒンジ軸に沿って第１の方向に延在する第１円筒形部材と、第１の方向とは反対の第２の方向にヒンジ軸に沿って延在する第２円筒形部材と、第１円筒形部材と第２円筒形部材に隣接して配置される輪郭外表面を有する厚肉部とを含む。第２部分は（ｉ）第２部分が、第１部分に結合され、少なくとも所定の角度範囲に渡ってヒンジ軸を中心にしてほぼ自由に回転するように、第１円筒形部材が第１レセプタクルに配置され、第２円筒形部材が第２レセプタクルに配置される、第１状態、および（ｉｉ）第２部分が所定の角度範囲を越えて回転し、輪郭外表面が第１部分の部分と相互作用するのに応答して、第２部分が第１部分から分離される、第２状態から移動可能である。
【０００９】
第１レセプタクルおよび第２レセプタクルの各々は、ヒンジ軸の周りにほぼ半径距離に配置された曲面によって少なくとも部分的に画定された主要部を含み、第１状態に配置されたとき、第１円筒形部材は、第１レセプタクルの主要部内に配置され、第２円筒形部材は、第２レセプタクルの主要部に配置される。
【００１０】
第１レセプタクルと第２レセプタクルの各々は、さらに、主要部から外側に延在し、ほぼ中心基準線の周りに配置される開口部を含む。
【００１１】
第１レセプタクルおよび第２レセプタクルの各々の開口部は、主要部から外側に延在し、第１レセプタクルおよび第２レセプタクルのそれぞれの最小開口幅を画定するほぼ平行な表面によって画定される第１部分を含み、第１状態から第２状態に移動するとき、第１円筒形部材の少なくとも１つが第１レセプタクルの第１部分を通過するか、第２円筒形部材が、第２レセプタクルの第１部分を通過する。
【００１２】
第１レセプタクルおよび第２レセプタクルのそれぞれの開口部は、さらに、開口部が最小開口幅から広くなる第１部分から外側に延在するフレア部を含む。
【００１３】
第１円筒形部材および第２円筒形部材のそれぞれは、最小の幅よりも大きく、半径距離の２倍よりも小さい外径によって画定されてもよい。
【００１４】
そのようなニーズはまたトリップユニットを対象とする開示された概念の実施形態によって満たされる。トリップユニットは、ハウジングとアクセスドアとを含む。ハウジングは、上または内部に形成された第１レセプタクルと第２レセプタクルを含む。アクセスドアは、ヒンジ軸に沿って第１の方向に延在する第１円筒形部材と、第１の方向とは反対の第２の方向にヒンジ軸に沿って延在する第２円筒形部材と、第１円筒形部材と第２円筒形部材に隣接して配置される輪郭外表面を有する厚肉部とを含む。アクセスドアは、（ｉ）アクセスドアがハウジングに結合され、少なくとも所定の角度範囲に渡って、ヒンジ軸の周りにほぼ自由に回転するように、第１円筒形部材が第１レセプタクル内に配置され、第２円筒形部材が第２レセプタクル内に配置される、第１状態、および（ｉｉ）アクセスドアが、所定の角度範囲を超えて回転し、輪郭外表面がハウジングの部分と相互作用するのに応答して、アクセスドアがハウジングから切り離される、第２状態から、移動可能である。
【００１５】
第１レセプタクルおよび第２レセプタクルの各々は、ヒンジ軸の周りにほぼ半径距離に配置された曲面によって少なくとも部分的に画定された主要部を含んでもよい。そして、第１状態に配置されたとき、第１円筒形部材が、第１レセプタクルの主要部内に配置され、第２円筒形部材は、第２レセプタクルの主要部に配置される。
【００１６】
第１レセプタクルおよび第２レセプタクルのそれぞれは、さらに、主要部から外側に延在し、ハウジングの前面に平行に配置された基準平面に対してヒンジ軸の周りにある角度で配向されたほぼ中心基準線の周りに配置され、ヒンジ軸が存在する、開口部を含んでもよい。
【００１７】
第１レセプタクルおよび第２レセプタクルの各々の開口部は、主要部から外側に延在し、前記第１レセプタクルと前記第２レセプタクルの最小開口幅を画定する、ほぼ平行な表面によって画定される第１部分を含んでもよい。そして、第１状態から第２状態に移動するとき、第１円筒形部材の少なくとも１つが第１レセプタクルの第１部分を通過するか、または第２円筒形部材が第２レセプタクルの第１部分を通過する。
【００１８】
第１レセプタクルおよび第２レセプタクルのそれぞれの開口部は、さらに、開口部は最小開口幅から広くなる第１部分から外側に延在するフレア部を含んでもよい。
【００１９】
第１円筒形部材および第２円筒形部材のそれぞれは、最小幅よりも大きく、半径距離の２倍よりも小さい外径によって画定されてもよい。
【００２０】
そのようなニーズは、また、回路遮断器を対象とする開示された概念の実施形態によって満たされる。回路遮断器は、ハウジングと選択的にハウジングに結合されるトリップユニットを含む。ハウジングは、ハウジングに選択的に結合される前面カバーを含み、前面カバーは、前面カバーを通して画定される開口部を含む。トリップユニットは、上または内部に形成される第１レセプタクルおよび第２レセプタクルを含むトリップユニットハウジングと、前面カバーが、ハウジングに結合されるとき、前面カバーの開口を介してアクセス可能な前面とを含む。前面はトリップユニットの１つまたは複数の特性を調整するためのいくつかの調整機構を含む。トリップユニットは、さらに、ヒンジ軸に沿って第１の方向に延在する第１円筒形部材と、第１の方向とは反対の第２の方向にヒンジ軸に沿って延在する第２円筒形部材と、第１円筒形部材と第２円筒形部材に隣接して配置される輪郭外表面を有する厚肉部とを有するアクセスドアを含む。前面カバーがハウジングから切り離されたとき、アクセスドアは、（ｉ）アクセスドアはハウジングに結合され、少なくとも第１の所定の角度範囲に渡ってヒンジ軸の周りにほぼ自由に回転するように、第１円筒形部材は第１レセプタクルに配置され、第２円筒形部材は第２レセプタクルに配置される、第１状態、および（ｉｉ）アクセスドアが第１の所定の角度範囲を超えて回転し、輪郭外表面がハウジングの部分と相互作用するのに応答して、アクセスドアがハウジングから切り離される、第２状態から、移動可能である。アクセスドアが第１状態に配置され、前面カバーがハウジングに結合されるとき、前面カバーは、第１の所定の角度範囲よりも低い第２の所定の角度範囲にヒンジ軸の周りにアクセスドアの回転を制限する。
【００２１】
第１レセプタクルおよび第２レセプタクルの各々は、ヒンジ軸の周りにほぼ半径距離に配置された曲面によって少なくとも部分的に画定された主要部を含むことができ、第１状態に配置されるとき、第１円筒形部材は、第１レセプタクルの主要部内に配置され、第２円筒形部材は、第２レセプタクルの主要部に配置される。
【００２２】
第１レセプタクルおよび第２レセプタクルのそれぞれは、主要部から外側に延在し、ハウジングの前面に平行に配置された基準平面に対してヒンジ軸の周りにある角度で配向されたほぼ中心基準線周りに配置され、ヒンジ軸が存在する、開口部をさらに含んでもよい。
【００２３】
第１レセプタクルおよび第２レセプタクルの各々の開口部は、主要部から外側に延在し、前記第１レセプタクルと前記第２レセプタクルの最小開口幅を画定する、ほぼ平行な表面によって画定される第１部分を含んでもよく、第１状態から第２状態に移動するとき、第１円筒形部材の少なくとも１つが第１レセプタクルの第１部分を通過するか、または第２円筒形部材が第２レセプタクルの第１部分を通過する。
【００２４】
第１レセプタクルおよび第２レセプタクルのそれぞれの開口部は、開口部は最小開口幅から広くなる、第１部分から外側に延在するフレア部をさらに含む。
【００２５】
第１円筒形部材と第２円筒形部材の各々は、最小幅より大きく半径距離の２倍より小さい外径によって画定することができる。
【図面の簡単な説明】
【００２６】
開示された概念の完全な理解は、添付図面と併せて読むと好ましい実施形態の以下の説明から得ることができる。
【図１】図１は、閉位置で示される開示された概念の例示的実施形態にしたがって、アクセスドアを有するトリップユニットを含む回路遮断器の等角図である。
【図２】図２は、図１の回路遮断器の等角図であり、開位置に配置されたアクセスドアを示す。
【図３】図３は、閉位置に配置されたアクセスドアを有して示される、図１の回路遮断器のトリップユニットの等角図である。
【図４】図４は、開位置に配置されたアクセスドアを有して示される、図１の回路遮断器のトリップユニットの等角図である。
【図５】図５は、図３の５−５線に沿ったトリップユニットとアクセスドアの部分の断面図である。
【図６】図６は、図４の６−６線に沿ったトリップユニットとアクセスドアの部分の断面図である。
【図７】図７は、図１の７−７線に沿ったトリップユニットとアクセスドアの部分の断面図である。
【図８】図８は、トリップユニットのハウジングからその切り離されたアクセスドアを有して示される図３のトリップユニットの分解等角図である。
【図９】図９は、図５の断面図の部分の詳細図である。
【発明を実施するための形態】
【００２７】
本明細書で使用される、たとえば、左、右、前、後、上部、底部およびその派生物などの、方向を示す語句は、図面に示される要素の向きに関連し、明示されないかぎり、特許請求の範囲を限定するものではない。
【００２８】
本明細書で使用される場合、「数」という用語は、１つ、または１つより大きい任意の整数の量（すなわち、複数）を意味する。
【００２９】
本明細書で使用されるように、２つ以上の部分が一緒に「結合」されるという記述は、部分が互いに直接接合されるか、または１つまたは複数の中間部分を介して接合されることを意味する。
【００３０】
本明細書で使用されるように、文は、２つ以上の部分が「選択的に結合」されるという記述は、容易に元に戻すことができるように、部分が直接または１つまたは複数の中間部分を介して一緒に固定されることを意味する。
【００３１】
開示された概念の例示的実施形態による回路遮断器１０は、図１および図２に示される。回路遮断器１０は、いくつかの適切な締結具１６（たとえば、ネジであるが、これに限定されない）を介して成形ハウジングに選択的に結合された前面カバー１４を有する成形ハウジング１２を含む。開示された概念に従った例示的な実施形態では、ハウジング１２はＲｏｓｉｔｅ  ６０６０Ｄ  Ｐａｎｔｏｎｅ４３２から形成され、前面カバー１４は、Ｖａｌｏｘ  ３７０６  ＡＮＳＩ６１から形成された。他の適切な材料が、開示された概念の範囲から逸脱することなく使用され得ることが、理解されるべきである。回路遮断器１０は、前面カバー１４内に画定された開口部２２を介してアクセス可能な前面２０を有するハウジング１２に結合された取り外し可能なトリップユニット１８（図３および図４に詳細に示されている）を含む。
【００３２】
図３および図４を参照して、トリップユニット１８の前面２０はトリップユニットハウジング２４の一部を形成し、トリップユニットハウジング２４は、回路遮断器１０の動作を制御するためにその中に配置された回路と関連要素（図示せず）を収容する。開示された概念による例示的な実施形態では、トリップユニットハウジング２４は、ハウジング２４上に配置された接着オーバーレイを有する前面２０を有するＳａｂｉｃ  Ｖａｌｏｘ  ７３２Ｅから形成される。しかしながら、他の適切な材料が、開示された概念の範囲から逸脱することなく使用され得ることが、理解されるべきである。前面２０は、トリップユニット１８の１つまたは複数の特性を調整するためのいくつかの調整機構２６（図４）を含む。調整機構２６への選択的アクセスを可能にするために、アクセスドア３０が、アクセスドア３０が調整機構２６へのアクセスを制限する閉位置（図１および図３に示す）、およびアクセスドアが、調整機構２６へのアクセスを制限しない開位置（図２および図４に示す）の間でヒンジ軸４２の周りを回転可能であるように、トリップユニット１８はさらに、ヒンジアセンブリ４０を介してトリップユニットハウジング２４に回転可能に結合されたアクセスドア３０を含む。開示された概念による例示的な実施形態では、アクセスドア３０は、Ｓａｂｉｃ  ＬＥＸＡＮ  １４１Ｒクリアから形成される。しかしながら、他の適切な材料が、開示された概念の範囲から逸脱することなく使用され得ることが、理解されるべきである。
【００３３】
図３および図４に、ならびに図５〜図９の追加の図面を続けて参照し、ヒンジアセンブリ４０は、アクセスドア３０の部分によって一部が形成され、トリップユニットハウジング２４の部分によって一部が形成される。より具体的には、ヒンジアセンブリ４０は、トリップユニットハウジング２４内、またはその上に形成された、第１レセプタクル４４および第２レセプタクル４５を含む。図９の詳細図を参照すると、第１レセプタクル４４は、４２ヒンジ軸周りにほぼ半径距離ｒに配置された曲面４７によって少なくとも一部が画定された主要部４６を含む。第１レセプタクル４４はさらに、主要部４６から外側に延在し、ヒンジ軸４２から延在し、トリップユニット１８の前面２０に平行に配置された基準平面Ｐに対してヒンジ軸４２の周りに角度θ（図５）で配向されるほぼ中心基準線Ｃの周りに配置され、ヒンジ軸４２がその中にある、開口部４８を含む。開示された概念の例では、９０°未満の角度θが不適当であることが判明した。開口部４８は、主要部４６から外側に延在し、第１レセプタクル４４の最小開口幅ｗを画定するほぼ平行な表面によって画定される第１部分５０を含む。開口部４８が最小開口幅ｗより広くなるフレア部分５２が、第１部分５０から外側に延在する。第２レセプタクル４５は、第１レセプタクル４４とほぼ同様の形状および形態であり、したがって本明細書でさらに説明しない。第１および第２レセプタクル４４および４５の各々のこのような構成の一般的な目的は、以下でさらに詳細に説明する。開示された概念に従った例示的な実施形態において、第１レセプタクル４４と第２レセプタクル４５の各々は、０．０６０インチの最小開口幅ｗで形成され、曲面は、ヒンジ軸４２から０．０４７インチの半径距離の距離ｒに配置され、そして主要部は、基準平面Ｐに対して１３５°に配置された中心基準線Ｃの周りに配置された。しかしながら、このような寸法に対し他の適切な値が、開示された概念の範囲から逸脱することなく使用され得ることが、理解されるべきである。
【００３４】
第１および第２レセプタクル部４４および４５に加えて、ヒンジアセンブリ４０は、さらに、トリップユニットハウジング２４の部分と相互作用するアクセスドア３０の対応する部分を含む。より具体的には、図３および図８を参照すると、ヒンジアセンブリ４０は、アクセスドア３０からヒンジ軸４２に沿って第１の方向に延在する第１円筒形部材６０と、第１方向とは反対の第２方向にヒンジ軸４２に沿ってアクセスドア３０から延在する第２円筒形部材６２とを含む。第１および第２円筒形部材６０および６２の各々は、ほぼ同様の形状および構造を有し、図５の断面図に示すように、外径ｄにより全体的に画定される。図５〜図７および図９の断面図に示すように、ドア３０が、閉位置（図１および図３に示す）および開位置（図２および図４に示す）の間で、ヒンジ軸４２を中心にして、結合され、ほぼ自由に回転するように、第１円筒形部材６０は、第１レセプタクル４４の主要部４６内に配置するようなサイズとする（そして、同様に、第２円筒形部材６２は、第２レセプタクル４５の対応する部分内に配置する）。本明細書で詳細には説明しないが、１つまたは複数の適切なラッチまたはロック機構（番号なし）は、開示された概念の範囲を変えることなく閉位置（図１および図３に示す）にアクセスドア３０を固定するために設けられてもよいことを理解されたい。
【００３５】
第１および第２円筒形部材６０および６２に加えて、アクセスドア３０は、ヒンジアセンブリ４０の部分である第１および第２円筒形部材６０および６２に隣接して配置された輪郭外表面７０を有する厚肉部７２をさらに含む。そのような特徴の機能を、以下に詳細に説明する。
【００３６】
このようにヒンジアセンブリ４０の基本的な構成要素および配置を説明したが、アセンブリおよびその潜在的な分解に関するこのような構成の利点を説明する。ヒンジアセンブリ４０を組み立てるために（すなわち、アクセスドア３０をトリップユニットハウジング２４に結合する）、第１および第２円筒形部材６０および６２の各々は、まず、第１および第２レセプタクル４４および４５の対応する開口部（たとえば、４８）と整列される。各レセプタクルのフレア部分（たとえば、５２）は、それぞれの円筒形部材を対応する開口部内に芯出しするのを助ける。円筒形部材の両方が、それぞれのレセプタクルの開口部に芯出しされると、円筒形部材の各々が、それぞれのレセプタクルの対応する主要部（たとえば、４６）に「カチッと嵌まる（スナップする）」ように、円筒形部材の各々は、円筒形部材６０および６２のそれぞれの場所での、またはその近くでのアクセスドア３０に適用される適切な力を加えることにより各開口部の第１部分（たとえば、を通って変位する。したがって、アクセスドア３０は、通常、トリップユニットハウジング２４に「スナップフィット」することを理解すべきである。
【００３７】
アクセスドア３０のスナップフィットされたアセンブリをトリップユニットハウジング２４に提供することに加えて、ヒンジアセンブリ４０はさらに、既知の構成が通常壊れてしまい、アクセスドアまたはトリップユニットハウジングの一方または両方の交換が必要となるような場合（全体トリップユニットの交換が必要となる）、ハウジング２４またはドア３０のいずれにも損傷を与えることなく、アクセスドア３０がトリップユニットハウジング２４から容易に取り外せるようにすることができる。前述のように、一般に障害が発生する場合とは、開位置に配置されている間、たとえば、技術者が、アクセスドアの近くに動いたり、アクセスドアを初めに閉じることなく回路遮断器の前面カバーをインストールしようとすることによって、アクセスドア３０に接触した場合に容易に起こり得るような、トリップユニットのアクセスドアが、その意図された範囲を超えて開かれるときである。先に説明したように、図４および図６は、アクセスドア３０が完全に開位置に配置された状態でのトリップユニット１８を示している。そのような完全な開位置は、アクセスドア３０の厚肉部７２の外表面７０がトリップユニットハウジング２４の一部に対し負荷をうけるとき達し、そして、アクセスドア３０は、ヒンジ軸３０周りに閉位置（図５）から所定量範囲α（図６）に渡って回転されるとき起こる。
【００３８】
図６の断面図を参照すると、アクセスドア３０がそのような全開位置に配置されるとき、アクセスドア３０に力（全体的に矢印Ｆで示す）が加えられる場合、第１レセプタクル４４の主要部４６内に位置決めされた第１円筒形部材６０の位置に対して、厚肉部分７２の外表面７０とトリップユニットハウジング２４との間の相互作用点（番号なし）は、第１円筒形部材６０が、矢印Ｐで示すように、経路に沿って全般的に付勢される結果となる。経路Ｐが、開口部４８の中心基準線Ｃに沿って一般に通過するとき、第１円筒形部材６０は、このように一般に前述のスナップフィットアセンブリ工程と逆の方法（すなわち、円筒形部材６０および６２の一方または両方が、対応するレセプタクル４４、４５の第１開口部を通って外側に移動する。）で第１レセプタクル４４から押し出される（同様に、第２円筒形部材６２が第２レセプタクル４５から押し出される）。このような動きを通じて、アクセスドア３０は、アクセスドア３０が、ヒンジアセンブリ４０の任意の部分に損傷を与えることなくトリップユニットハウジング２４から分離される結果となるように、トリップユニットハウジング２４から容易にスナップフィットを解除する。図示された配置例では、そのようなスナップ結合解除は、アクセスドア３０が、約１９０°の所定角度範囲αを超えて開かれ、完全に約１９５°で完全に結合解除されるとき、起こり始める。しかし、このようなスナップ結合解除のポイントは、アクセスドア３０の厚肉部７２の外表面７０のプロファイルを変化させると共に、レセプタクルの開口部が中心にくる中心線Ｃの角度配置を変化させることによって特定の用途に適合するように調整することができることを理解されたい。
【００３９】
図４および図６に関連して説明した機能とは対照的に、図７は、トリップユニット１８の前面２０が、前面カバーの開口部２２内に配置されるように、前面カバー１４が回路遮断器１０のハウジング１２に固定されるときの動作中の例示される実施形態の例を示す。アクセスドア３０が、トリップユニットハウジング２４に隣接する前面カバー１４の存在により、より小さな所定の開口角度範囲α´（角度αと比較した場合、図６）に制限された全開位置に配置されたとき、（矢印Ｆによって通常再び示される）力がアクセスドア３０にかかった場合、（トリップユニットハウジング２４との相互作用とは対照的に）回路遮断器１０の前面カバー１４との厚肉部７２の外表面７０の相互作用は、第１円筒形部材６０が矢印Ｐ´で示す経路に沿って一般に力を加えられる結果となる。通路Ｐ´が開口部４８の中心基準線Ｃを通過せず、代わりに第１レセプタクル４４の主要部４６の曲面４７に向かう傾向があるので、第１円筒形部材６０は、第１レセプタクル４４に保持される（同様に、第２円筒形部材６２は第２受け部４５に保持される）。したがって、アクセスドア３０は、トリップユニットハウジング２４から不所望にスナップ解除されることがない。
【００４０】
前述の説明から、開示された概念が既存の配置よりも技術者が損傷させにくいアクセスドアを提供することを理解されたい。さらに、概念は単にトリップユニットの調整機構にアクセスしている回路遮断器のユーザによって分離されないのが望ましくないアクセスドアを提供する。
【００４１】
開示された概念の例示的な実施形態は、トリップユニットのアクセスドアに関して示されているが、開示された概念は、アクセスドアまたは類似の構造の選択的結合解除が望ましい他のアプリケーションで使用されてもよいと考えられる。
【００４２】
開示された概念の具体的な実施形態について詳細に説明してきたが、当業者は、これらの詳細の種々の変更および代替は、本開示の全体の教示に照らして発展させることができることを、理解するであろう。したがって、開示した個々の形態は、単に説明のためのものであり、添付のクレームの全範囲と、それらの任意およびすべての同等のものとが与えられる、本発明の概念の範囲を限定するものではない。
【図１】
0006755870.tif 000002
【図２】
0006755870.tif 000003
【図３】
0006755870.tif 000004
【図４】
0006755870.tif 000005
【図５】
0006755870.tif 000006
【図６】
0006755870.tif 000007
【図７】
0006755870.tif 000008
【図８】
0006755870.tif 000009
【図９】
0006755870.tif 000010